(57)【要約】  【課題】  補助突起を削減しても画素電極のエッジ部でディスクリが生じにくい構造の液晶表示装置を提供することである。  【解決手段】  第一基板１側の画素電極４に形成されたスリット６と、第二基板８に形成された突起１２と、突起１２と同一面上であって画素電極４のエッジ部に沿って形成された補助突起１７とを備え、１画素内で、突起１２は、互いに平行な部分を有するＬ字型突起１２ａ、１２ｂからなり、スリット６は、Ｌ字型突起１２ａ、１２ｂの２辺及び画素電極４のエッジ部に囲まれた領域に設けられたＹ字型スリット６ａと、隣り合う平行な突起１２ａ、１２ｂに重なる部分を有する平行なスリット６ｂ、６ｃと、スリット６ｂ、６ｃの一端どうしを連結する直線状スリット６ｄとからなり、補助突起１７は、Ｙ字型スリット６ａの２辺及び画素電極４のエッジ部に囲まれた領域に設けられる構成とする。【選択図】      図１
2005284025.tif 000002
【特許請求の範囲】
【請求項１】
画素電極をマトリクス状に配置した第一基板と、透明電極を形成した第二基板と、前記第二基板の垂直方向から観察したときに前記第二基板に形成された帯状の突起と、前記第一基板に形成されると共に前記突起に対応して形成されたスリットと、前記両基板上に積層した垂直配向処理を施した配向膜と、前記両基板間に挟持した誘電率異方性が負の液晶層と、前記第一基板の外側に配置した第一偏光板と、前記第二基板の外側に配置されると共に前記第一偏光板の透過軸と直交関係にある透過軸を有する第二偏光板とを備え、前記液晶層に電界を印加しないときは液晶分子が垂直配列し、前記液晶層に電界を印加したときは前記スリット及び前記突起によって規制される方向に液晶分子が傾斜して配列する液晶表示装置において、
１画素内で、前記突起は互いに平行な部分を有する２以上のＬ字型突起からなると共に該Ｌ字型突起は対称な向きで交互に形成されており、前記スリットは前記画素電極のエッジ近傍において、隣り合う平行な突起の端部近傍において重なる部分を有する平行なスリットと、該平行なスリットの一端どうしを連結する直線状スリットとからなることを特徴とする液晶表示装置。
【請求項２】
前記スリットは、前記突起の中心よりも前記隣り合う平行な突起側に寄って前記突起と重なる部分を有していることを特徴とする請求項１に記載の液晶表示装置。
【請求項３】
前記Ｌ字型突起の２辺及び前記画素電極のエッジ部に囲まれた領域にＹ字型スリットを形成し、前記Ｙ字型スリットの２辺及び前記画素電極のエッジ部に囲まれた領域であって、前記第二基板と同一面上において前記画素電極のエッジ部に沿って補助突起が形成されていることを特徴とする請求項１又は２の何れかに記載の液晶表示装置。
【請求項４】
画素電極をマトリクス状に配置した第一基板と、透明電極を形成した第二基板と、前記第二基板の垂直方向から観察したときに前記第二基板に形成された帯状の突起と、前記第一基板に形成されると共に前記突起に対応して形成されたスリットと、前記両基板上に積層した垂直配向処理を施した配向膜と、前記両基板間に挟持した誘電率異方性が負の液晶層と、前記第一基板の外側に配置した第一偏光板と、前記第二基板の外側に配置されると共に前記第一偏光板の透過軸と直交関係にある透過軸を有する第二偏光板とを備え、前記液晶層に電界を印加しないときは液晶分子が垂直配列し、前記液晶層に電界を印加したときは前記スリット及び前記突起によって規制される方向に液晶分子が傾斜して配列する液晶表示装置において、
１画素内で、前記突起は端部が連結された２以上のＬ字型突起からなり、前記スリットは前記各Ｌ字型突起に平行なスリットからなり、且つ前記突起及びスリットは前記第一偏光板及び第二偏光板の透過軸と約４５°をなすように配置されていることを特徴とする液晶表示装置。
【請求項５】
前記スリットはＬ字型スリットであり、該Ｌ字型スリットと前記画素電極のエッジ部に囲まれた領域において、前記第２基板と同一平面状であって前記画素電極のエッジ部に沿って補助突起が形成されていることを特徴とする請求項４に記載の液晶表示装置。
【発明の詳細な説明】
【技術分野】
【０００１】
本発明は、１画素内に複数のドメインを設けた広視野角の液晶表示装置に関するものである。
【背景技術】
【０００２】
一般に液晶表示装置には薄型軽量、低消費電力という特徴があり、携帯端末から大型テレビに至るまで幅広く利用されている。この液晶表示装置としてＴＮ型の液晶表示装置がよく使われ、表示装置として高い性能、品質を維持している。
【０００３】
しかしＴＮ型液晶表示装置等は視角依存性が大きい等の問題があった。そこでＴＮ型よりも広視野角なＶＡ（vertically aligned）型の液晶表示装置が提案されている。ＶＡ型の液晶表示装置の場合、一対のガラス基板間に誘電率異方性が負の液晶を封入し、一方のガラス基板に画素電極を、他方のガラス基板に共通電極を配置している。両ガラス基板上には垂直配向膜を積層し、両ガラス基板の外側に互いの透過軸方向が直交するように一対の偏光板を配置している。そして両電極間に電界が発生しないときは液晶分子が垂直配向膜に規制されて垂直配列し、一方の偏光板を通過した直線偏光の透過光がそのまま液晶層を通過して他方の偏光板によって遮られる。また両電極間に電界が発生するときはガラス基板間の液晶分子が電界に対して垂直方向に傾斜して水平配列するので、一方の偏光板を通過した直線偏光の透過光は液晶層を通過するときに複屈折され楕円偏光の通過光になり、他方の偏光板を通過する。
【０００４】
このＶＡ型液晶表示装置の視野角を更に改善するために、画素内に突起や溝を設けて１画素内に複数のドメインを形成するＭＶＡ（Multi-domain vertically aligned）方式が提案されている。これは例えば特許文献１や特許文献２に記載されている。
【０００５】
この従来のＭＶＡ型液晶表示装置の画素構成を図６に示す。平行に対向配置する一対のガラス基板のうち、一方のガラス基板上には画素電極１００、走査線１０１、信号線１０２、ＴＦＴ１０３が形成され、他方のガラス基板にはカラーフィルタ、共通電極、突起１０５が形成される。なおカラーフィルタ、共通電極は図示しない。複数の走査線１０１と信号線１０２がガラス基板上にマトリクス状に配線され、その交差部分にＴＦＴ１０３を、走査線１０１と信号線１０２で囲まれる領域内に画素電極１００をそれぞれ配置する。      
【０００６】
ＴＦＴ１０３のゲート電極は走査線１０１に、ソース電極は信号線１０２に、ドレイン電極は画素電極１００にそれぞれ接続される。１０４は画素電極１００に形成されたスリットであり、ガラス基板の垂直方向から見たときに複数の突起１０５がジグザグ状に形成され、スリット１０４はこの複数の突起１０５の間に位置し、隣り合う突起１０５と略平行に形成されている。そして、突起１０５の端部に連続して形成される補助突起１０６がエッジ部に沿って延在する。画素電極１００のエッジ部近傍において、エッジ部とスリット１０４との関係により特定の個所で液晶分子の配向が乱れる現象が知られている。この補助突起１０６は画素電極１００のエッジ部での液晶分子への影響、所謂ディスクリの発生を低減するためのものである。液晶分子は突起１０５及びスリット１０４に対して９０°方向に傾斜し、突起１０５やスリット１０４を境にして逆方向に傾斜する。一対のガラス基板の外側には直交ニコルの一対の偏光板が配置され、偏光板の透過軸と突起１０５の方向との成す角度が４５°になるように設定し、偏光板の垂直方向から見たときに傾斜した液晶分子と偏光板の透過軸との成す角度が４５°になるようにしている。傾斜した液晶分子と偏光板の透過軸との角度が４５°になるとき、最も効率よく偏光板から透過光を得ることができる。
【特許文献１】特許第２９４７３５０号公報
【特許文献２】特開２００１−８３５１７号公報
【発明の開示】
【発明が解決しようとする課題】
【０００７】
図６ではディスクリの発生を低減するため画素電極１００のエッジ部の大部分に補助突起１０６が設けられている。しかし、実際には両基板を精密な精度で貼り合わせるのは装置の関係上難しく、貼り合せ工程の際に多少のずれがどうしても発生してしまう。また基板上に画素電極１００、走査線１０１、信号線１０２、ＴＦＴ１０３を形成する際の露光工程において、基板の内側付近に対して基板の外側付近では露光のずれが生じやすい。そのため補助突起１０６と画素電極１００のエッジ部とが理想的な位置で重ならないので、結局ディスクリが発生し、また位置のずれた補助突起１０６は液晶分子の配向を乱す原因となり、表示装置としての品質が安定しなかった。
【０００８】
本発明は、上記の問題点に鑑み、補助突起を削減しても画素電極のエッジ部でディスクリが生じにくい構造の液晶表示装置を提供することを目的とする。
【課題を解決するための手段】
【０００９】
上記目的を達成するために本発明の液晶表示装置は、画素電極をマトリクス状に配置した第一基板と、透明電極を形成した第二基板と、前記第二基板の垂直方向から観察したときに前記第二基板に形成された帯状の突起と、前記第一基板に形成されると共に前記突起に対応して形成されたスリットと、前記両基板上に積層した垂直配向処理を施した配向膜と、前記両基板間に挟持した誘電率異方性が負の液晶層と、前記第一基板の外側に配置した第一偏光板と、前記第二基板の外側に配置されると共に前記第一偏光板の透過軸と直交関係にある透過軸を有する第二偏光板とを備え、前記液晶層に電界を印加しないときは液晶分子が垂直配列し、前記液晶層に電界を印加したときは前記スリット及び前記突起によって規制される方向に液晶分子が傾斜して配列する液晶表示装置において、１画素内で、前記突起は互いに平行な部分を有する２以上のＬ字型突起からなると共に該Ｌ字型突起は対称な向きで交互に形成されており、前記スリットは前記画素電極のエッジ近傍において、隣り合う平行な突起の端部近傍において重なる部分を有する平行なスリットと、該平行なスリットの一端どうしを連結する直線状スリットとからなることを特徴とする。
【００１０】
また本発明の液晶表示装置は、画素電極をマトリクス状に配置した第一基板と、透明電極を形成した第二基板と、前記第二基板の垂直方向から観察したときに前記第二基板に形成された帯状の突起と、前記第一基板に形成されると共に前記突起に対応して形成されたスリットと、前記両基板上に積層した垂直配向処理を施した配向膜と、前記両基板間に挟持した誘電率異方性が負の液晶層と、前記第一基板の外側に配置した第一偏光板と、前記第二基板の外側に配置されると共に前記第一偏光板の透過軸と直交関係にある透過軸を有する第二偏光板とを備え、前記液晶層に電界を印加しないときは液晶分子が垂直配列し、前記液晶層に電界を印加したときは前記スリット及び前記突起によって規制される方向に液晶分子が傾斜して配列する液晶表示装置において、１画素内で、前記突起は、端部が連結された２以上のＬ字型突起からなり、前記スリットは、前記各Ｌ字型突起に平行なスリットからなり、且つ前記突起及びスリットは前記第一偏光板及び第二偏光板の透過軸と約４５°をなすように配置されていることを特徴とする。
【発明の効果】
【００１１】
本発明の液晶表示装置は、突起間の距離を短くしてスリットの形状を工夫することにより、従来のように突起に連続した補助突起を設けなくても画素電極のエッジ部付近でディスクリが生じない。従って、従来よりも補助突起を減らすことができ、両基板の貼り合わせ工程で位置がずれて補助突起と画素電極のエッジ部とが重ならないことを防止できる。その結果、従来の工作精度のままで品質を安定させることができる。
【発明を実施するための最良の形態】
【００１２】
液晶表示装置の画素電極のエッジ部でディスクリが生じにくい構造にするため、画素中の液晶分子の配向を規制する突起や補助突起やスリットの配置を改善した。
【実施例１】
【００１３】
図１は実施例１の液晶表示装置における画素部の平面図、図２は図１のＸ−Ｘ線に沿った断面図である。図３は図１のＹ−Ｙ線に沿った断面図である。
【００１４】
１はガラス基板などの透明な第一基板であり、この第一基板１上には走査線２と信号線３がマトリクス状に配線されている。走査線２と信号線３で囲まれる領域が１画素に相当し、この領域内に画素電極４が配置され、走査線２と信号線３の交差部には画素電極４と接続するスイッチング素子であるＴＦＴ５が形成される。画素電極４の一部分は絶縁膜を介在させて隣接する走査線２と重なり、この部分が保持容量としても作用する。画素電極４には後述するスリット６が複数形成されている。７は画素電極４を覆う配向膜であり、垂直配向処理が施されている。なお、図２、図３では画素電極４の下方に存在する絶縁膜を省略している。
【００１５】
８はガラス基板などの透明な第二基板であり、第二基板８上には各画素を区切るようにブラックマトリクス９が形成され、各画素に対応してカラーフィルタ１０が積層されている。カラーフィルタ１０は各画素に対応して赤色（Ｒ）、緑色（Ｇ）、青色（Ｂ）のうち何れか一色のカラーフィルタ１０が配置されている。カラーフィルタ１０上には例えばＩＴＯ（Indium Tin Oxide）などの透明電極１１が積層され、透明電極１１上には所定パターンの突起１２が形成され、透明電極１１及び突起１２を垂直配向処理が施された配向膜１３で覆っている。
【００１６】
両基板１、８間には誘電率異方性が負の液晶層１４が介在する。そして画素電極４と透明電極１１の間に電界が生じないときは液晶分子１４ａが配向膜７、１３に規制されて垂直配列し、画素電極４と透明電極１１の間に電界が発生したときは液晶分子１４ａが水平方向に傾斜する。このとき液晶分子１４ａはスリット６や突起１２に規制されて所定の方向に傾斜し、１画素内に複数のドメインを形成することができる。なお図２、図３は画素電極４と透明電極１１の間に電界が発生した状態を模式的に示している。
【００１７】
第一基板１の外側には第一偏光板１５が、第二基板８の外側には第二偏光板１６がそれぞれ配置され、第一偏光板１５と第二偏光板１６は互いの透過軸が直交するように設定されている。なお第一偏光板１５と第二偏光板１６については、図３では図示していない。第二基板８の垂直方向から観察したときに、偏光板１５、１６の透過軸と液晶分子１４ａの傾斜方向が約４５°を成すとき、最も効率良く透過光が第二偏光板１６を通過することができる。そして液晶分子１４ａは突起１２に対して約９０°方向に傾斜するため、画素内の突起１２の延在方向と第二偏光板１６の透過軸とが約４５°を成すように両偏光板１５、１６は配置する。この実施例では第一偏光板１５の透過軸が走査線２の延在方向と一致し、第二偏光板１６の透過軸が信号線３の延在方向と一致するように設定する。
【００１８】
そして画素電極４と透明電極１１の間に電界が生じないときは液晶分子１４ａが垂直配列するため、第一偏光板１５を通過した直線偏光の透過光が液晶層１４を直線偏光のまま通過して第二偏光板１６で遮断され、黒表示になる。また画素電極４に所定の電圧が印加されて画素電極４と透明電極１１の間に電界が発生したとき、液晶分子１４ａが水平方向に傾斜するため、第一偏光板１５を通過した直線偏光の透過光が液晶層１４で楕円偏光になり第二偏光板１６を通過して、白表示になる。
【００１９】
次に、スリット６と突起１２の形状について説明する。スリット６は画素電極４の一部分をフォトリソグラフィー法等によって取除いて形成され、突起１２は例えばアクリル樹脂等からなるレジストをフォトリソグラフィー法によって所定パターンにして形成される。ここでは、突起１２の高さを１．２μｍとしている。なお、液晶層１４の層厚は４μｍとする。また突起１２はネガ材料で形成するよりもポジ材料で形成した方が、透過率が向上する。これはポジ材料の方が材料の特性上、突起１２の表面が滑らかになり、より液晶分子１４ａに対する傾斜方向への規制力が向上するためであり、実験によるとポジ材料の突起１２の方がネガ材料の突起１２よりも透過率が約１０％以上向上した。
【００２０】
突起１２は、突起１２の延在方向と第二偏光板１６の透過軸とが約４５°を成すようなＬ字型に形成され、その直線部分は第二基板８の垂直方向から見たときに信号線３に対して４５°の方向に延在している。画素電極４のエッジ部から伸びる突起１２ａが９０°Ｌ字型に屈曲して再び同じエッジ部まで延在し、次に、突起１２ａに対称な突起１２ｂが延在する。つまり向きの異なる突起１２ａと突起１２ｂとが交互に存在している。このようなＬ字型の突起１２を用いると、後述するように一つの画素において液晶分子１４ａを４つの方向に配向規制できるため、視角依存性の少ない液晶表示装置となる。
【００２１】
スリット６は、平面的に見た場合突起１２ａ又は１２ｂの２辺及び画素電極４のエッジ部に囲まれた領域に設けられたＹ字型のスリット６ａと、隣り合う平行な突起１２ａ、１２ｂのＬ字の屈折部側ではなく、Ｌ字の端部近傍において重なる部分を有する平行なスリット６ｂ、６ｃと、スリット６ｂ、６ｃの一端どうしを連結する直線状のスリット６ｄとからなる。スリット６ｂ、スリット６ｃは突起１２ａ、１２ｂの中心よりも画素電極４の中心方向寄りで重なっている。つまりスリット６ｂは突起１２ｂの中心よりも突起１２ａの側に寄って、突起１２ｂと重なっており、スリット６ｃは突起１２ａの中心よりも突起１２ｂの側に寄って、突起１２ａと重なっている。このスリット６と突起１２により、液晶分子１４ａの配向が規制される。
【００２２】
１７はスリット６ａに近接する画素電極４のエッジ部に沿って設けられた補助突起であり、画素電極４のエッジ部や隣接する画素からの電界による液晶分子１４ａへの影響を低減している。特にスリット６ａと画素電極４のエッジ部で囲まれる部分、つまりスリット６ａのラインと画素電極４のエッジ部ラインとで鋭角に交わる領域では、液晶分子１４ａはスリット６ａとエッジ部による影響を大きく受けやすいため、この領域による表示ムラを低減させることに補助突起１７は有効に作用する。ここで、スリット６ｂ、６ｃと画素電極４のエッジ部で囲まれる領域では突起１２ａ、１２ｂの存在により、スリット６ｂ、６ｃとエッジ部による影響が低減され、ディスクリの発生が抑えられる。
【００２３】
次に、液晶分子１４ａの配向方向について説明する。１画素内における液晶分子１４ａの配向方向は主に図１の領域Ａ〜Ｄの４つに分けられる。液晶分子１４ａはスリット６から隣接する突起１２へ向かって傾くものとする。なお液晶分子１４ａは、スリット６ｂから突起１２ｂの方向へ傾き、スリット６ｃから突起１２ａの方向へ傾く。図１では図６よりも突起１２ａと突起１２ｂの間隔を狭くしている。つまり１画素において隣接し同方向に延在する突起の間隔を狭くしている。突起１２ａと突起１２ｂの間隔を狭くするとその中間にスリットを設ける十分なスペースはないが、図１のようにスリット６ｂ〜６ｄを設けていることで液晶分子１４ａを配向させている。
【００２４】
特に従来であれば画素電極４のエッジ部付近では、画素電極４のエッジ付近での電界による規制力が働き画素電極４の内側に向かって傾斜する液晶分子１４ａと、スリット６による規制力により傾斜する液晶分子１４ａとが対峙してしまい配向に乱れが生じていた。しかし図３に示すように画素電極４のエッジ付近での電界の規制力による液晶分子１４ａの傾斜は、突起１２ａの規制力とにより理想に近い配向となる。一方スリット６の規制力により傾斜する液晶分子１４ａは従来であれば対峙してしまう画素電極４のエッジ付近での電界の規制力による液晶分子１４ａとは対峙しないで、その手前に位置する突起１２ａ、つまり画素電極４のエッジとスリット６の延在方向とが鋭角に交差する領域においてスリット６よりも画素電極４のエッジ寄りに位置する突起１２ａの規制力の影響を受けるので、画素電極４のエッジ付近での配向の乱れは生じ難くなる。これにより、従来のように補助突起１０６を設けなくても画素電極４のエッジ部付近でディスクリが生じない。従って、従来よりも補助突起を減らすことができ、両基板の貼り合わせ工程で位置がずれて補助突起と画素電極のエッジ部とが重ならないことを低減できる。その結果、従来の工作精度のままで品質を安定させることができる。
【００２５】
また、図６に示した従来品は同構造の画素を総て同じ方向に配列しているため、１画素の配向方向の不均一性が、画面全体で見ると視角依存となって現れる。つまり１画素において、特定方向に配向させる液晶分子の多い領域は、画面全体においてもその領域は当然多くなり、特定方向に配向させる領域の多い向きと少ない向きとで見え方が異なってしまう。本実施例では１画素内の領域Ａ〜Ｄの面積比は必ずしも均等でないが、図１に示すように、配向方向が線対称な２画素内においては領域Ａ〜Ｄの面積比はより等しくなる。ここで線対称な画素とは、ＴＦＴ５付近を除いて突起１２や補助突起１７やスリット６が略線対称である構造の画素を指す。一般に、配向方向の数が多く、画素単位の狭い範囲内において同一の配向方向を有する領域の面積比が等しくなる程、視角依存を低減することができる。そこで図１では、線対称な２画素を隣接させて画素を配列している。つまり、この２画素を繰り返し単位として規則的に画素を配列する構成である。また図４には他の画素配列の平面図を示す。図４ではこの線対称な２種類の画素を用い、略同数のこれら画素を不規則に配列している。線対称な画素を略同数用いることにより、画面全体として各配向方向の面積比が略等しくなり、また、画素を不規則に配列することにより、ストライプや市松模様等の規則的な画像を表示した場合でも２種類の画素を用いて表示するので、視角依存が改善される。
【実施例２】
【００２６】
図５は、実施例２の液晶表示装置における画素配列を示す平面図である。実施例２の層構成は図２に示した実施例１と同様であり、突起１２、スリット６の配置のみが異なる。具体的には、平面的にみると１画素内で、突起１２は端部が連結された２つのＬ字型突起１２ｃ、１２ｄからなり、スリット６は、Ｌ字型突起１２ｃ、１２ｄに平行なＬ字型スリット６ｅ〜６ｇとＬ字型の一部であるスリット６ｈからなる。そして例えばＬ字型スリット６ｅがＬ字型突起１２ｃの内側に形成されているように、画素電極４のエッジの規制力により傾斜する液晶分１４ａと、スリット６の規制力により傾斜する液晶分子１４ａとが対峙する領域が最小となるようになされている。更に、突起１２及びスリット６は第一偏光板及び第二偏光板の透過軸と約４５°をなすように配置される。なお補助突起１７は、Ｌ字型スリット６ｅ〜６ｇ及び画素電極４のエッジ部に囲まれた領域に設けられる。またスリット６ｅ〜６ｇはＬ字型スリットであるが、画素電極４のエッジの規制力により傾斜する液晶分１４ａと、スリット６の規制力により傾斜する液晶分子１４ａとが対峙する領域をなくすようにするために、スリットを３角形状として、Ｌ字型突起の内側に形成してもよい。
【００２７】
図５のような構成としても実施例１と同様に、従来よりも補助突起１７を減らすことができ、両基板の貼り合わせ工程で位置がずれて補助突起１７と画素電極４のエッジ部とが重ならないことを低減できる。その結果、従来の工作精度のままで品質を安定させることができる。
【００２８】
なお実施例１又は実施例２において、１画素内に設けるＬ字型の突起１２の数は３つ以上であってもよく、スリット６や補助突起１７は突起１２に対応して設ければよい。
【産業上の利用可能性】
【００２９】
本発明の液晶表示装置はＭＶＡ方式を採用しており、テレビやディスプレイ等の広い視野角が必要な液晶表示装置に好適に利用することができる。
【図面の簡単な説明】
【００３０】
【図１】実施例１の液晶表示装置における画素部の平面図である。
【図２】図１のＸ−Ｘ線に沿った断面図である。
【図３】図１のＹ−Ｙ線に沿った断面図である。
【図４】実施例１の液晶表示装置における他の画素配列を示す平面図である。
【図５】実施例２の液晶表示装置における画素部の平面図である。
【図６】従来のＭＶＡ型液晶表示装置の画素部の平面図である。
【符号の説明】
【００３１】
１    第一基板
４    画素電極
６    スリット
７、１３    配向膜
８    第二基板
１０    カラーフィルタ
１１    透明電極
１２    突起
１４    液晶層
１７    補助突起
【図１】
2005284025.tif 000003
【図２】
2005284025.tif 000004
【図３】
2005284025.tif 000005
【図４】
2005284025.tif 000006
【図５】
2005284025.tif 000007
【図６】
2005284025.tif 000008